(57)【要約】【課題】  カメラ本体を支持する支持部をアクセサリの蓋と兼用する。【解決手段】  バッテリ（２３）を収納するバッテリ収納庫のバッテリ蓋部（１８）は、外観蓋部（３４）とスライド蓋部（３６）からなる。スライド蓋部（３６）は外観蓋部（３４）に対してスライドして引き出すことができ、引き出された位置で外観蓋部（３４）に対して固定可能である。バッテリ蓋部（１８）は、バッテリ収納庫を閉じた位置と、開いた位置の両方でそれぞれの位置に固定可能である。バッテリ蓋部（１８）を開き、スライド蓋部（３６）を引き出した状態で、スライド蓋部（３６）の先端を撮影者の肩に当てることで、カメラ本体を肩で支持する。【選択図】  図４
2009105636.tif 000002
【特許請求の範囲】
【請求項１】
本体に収納される収納位置と前記本体から延長された延長位置との間で移動ででき、前記本体を把持した際に撮影者の体の一部に接触して前記本体を支持する支持部と、
アクセサリを取り付けできる取付け部と、
前記取付け部に設けられ、前記アクセサリと電気的に接続する電気接点部
とを具備し、
前記支持部が、前記収納位置で前記電気接点部を閉塞する蓋を兼ねることを特徴とする撮像装置。
【請求項２】
前記支持部が、相互に連結され、決められた位置で固定できる複数部品からなることを特徴とする請求項１に記載の撮像装置。
【請求項３】
前記支持部の一部または全部が弾性部材で構成されることを特徴とする請求項１又は２に記載の撮像装置。
【請求項４】
本体に収納される収納位置と前記本体から延長された延長位置との間で移動でき、前記本体を把持した際に撮影者の体の一部に接触して前記本体を支持する支持部と、
前記支持部に設けられ、アクセサリと電気的に接続する電気接点部
とを具備し、
前記支持部が、前記収納位置で前記電気接点部を閉塞することを特徴とする撮像装置。
【請求項５】
前記支持部は、前記収納位置では、前記アクセサリを取り付けた状態で、前記アクセサリを前記本体との間に収納することを特徴とする請求項４に記載の撮像装置。
【請求項６】
前記支持部が、相互に連結され、決められた位置で固定できる複数部品からなることを特徴とする請求項４又は５に記載の撮像装置。
【請求項７】
前記支持部の一部または全部が弾性部材で構成されることを特徴とする請求項４乃至６のいずれか１項に記載の撮像装置。
【請求項８】
前記支持部に操作部が設けられていることを特徴とする請求項４乃至７のいずれか１項に記載の撮像装置。
【発明の詳細な説明】
【技術分野】
【０００１】
本発明は、手で保持して使用する撮像装置に関する。
【背景技術】
【０００２】
民生用ビデオカメラは一般に、カメラ本体を手で支えて撮影するようになっている。撮影時の手ブレを防いだり、保持する負担を軽減するために、カメラ本体把持した際に手を支持するグリップベルト等が装備されている。また、大型のビデオカメラでは、より安定して保持できるように、グリップベルトとは別にカメラ本体を肩で支えるための肩パッドが付いたものもある。肩パッド等の支持部は、携帯性を良くする為に、使用状態や収納状態で位置が変更可能になっているものもある（特許文献１参照）。
【０００３】
ビデオカメラには、付属部品として、バッテリや、記録カードなどのアクセサリがある。これらの電気部品をカメラ本体に電気接続するための電気接点にほこりやゴミが付着すると、接点不良を起こす。そこで、通常、電気接点部を閉塞するアクセサリ蓋が防塵又は防水の目的で設けられている。
【特許文献１】特開平２-２１５２８１号公報
【発明の開示】
【発明が解決しようとする課題】
【０００４】
従来例では、支持部は本体部とは独立に設けられており、支持部の採用は大型化につながる。そこで、小型化を目指した機種には採用されてこなかった。
【０００５】
一方、近年、さらなる小型化のために、アクセサリ装着の電気接点部に蓋をつけない機種もある。しかし、アクセサリ未装着時には、ほこりが入ることによる電気接点不良が問題になる。
【０００６】
そこで、本発明は、アクセサリ接続用の電気接点類を保護しつつ、本体の保持を容易にする撮像装置を提示することを目的とする。
【課題を解決するための手段】
【０００７】
上記目的を達成するため、本出願に係る撮像装置は、本体に収納される収納位置と前記本体から延長された延長位置との間で移動でき、前記本体を把持した際に撮影者の体の一部に接触して前記本体を支持する支持部と、アクセサリを取り付けできる取付け部と、前記取付け部に設けられ、前記アクセサリと電気的に接続する電気接点部とを具備し、前記支持部が、前記収納位置で前記電気接点部を閉塞する蓋を兼ねることを特徴とする。
【０００８】
本発明に係る撮像装置は、本体に収納される収納位置と前記本体から延長された延長位置との間で移動でき、前記本体を把持した際に撮影者の体の一部に接触して前記本体を支持する支持部と、前記支持部に設けられ、アクセサリと電気的に接続する電気接点部とを具備し、前記支持部が、前記収納位置で前記電気接点部を閉塞することを特徴とする。
【発明の効果】
【０００９】
本発明によれば、本体を撮影者の体で支持するための支持部が、アクセサリ電気接点部の蓋、またはアクセサリを収納する部品を兼用することにより、アクセサリの電気接点の保護ができるとともに、保持性を向上させることができる。
【発明を実施するための最良の形態】
【００１０】
以下、図面を参照して、本発明の実施例を詳細に説明する。
【実施例１】
【００１１】
本発明の第一の実施形態について説明する。図１は、本発明の一実施例であるビデオカメラを背面側から見た外観斜視図を示す。図２は、正面側から見た外観斜視図を示す。
【００１２】
ビデオカメラの正面側に撮像レンズ１０があり、背面側にファインダ１２がある。ファインダ１２では、撮像レンズ１０による撮影視野内の被写体像だけでなく、撮影画像の再生画像を表示できる。トリガースイッチ１４は、撮影の開始や終了を指示する操作部である。本体を把持するために、グリップベルト１６が設けられている。バッテリ蓋部１８は、取外し可能なバッテリおよびバッテリ端子をバッテリの装着・未装着時に関わらず覆う蓋部材である。バッテリ蓋部１８により、バッテリやバッテリ取り付け部に設けられた電気接点部のほこりなどの付着による接触不良を防ぐことができる。また、バッテリ蓋部１８を閉めることで、持ち運ぶ際にバッテリに直接的な衝撃力が掛からず、バッテリ保持機構の破壊を防止できる。
【００１３】
図３乃至図６を参照して、バッテリ蓋部１８の構造を説明する。図３は、バッテリ蓋部１８を開いた状態の斜視図を示す。バッテリ蓋部１８は、軸部２０で本体部に軸支されている。
【００１４】
バッテリ蓋部１８の本体側の内側には、取外し可能なバッテリ２３（図４）の取り付け部２２が配置されている。バッテリ２３は充電式であり、充電されたバッテリを装着することで、本体に電源を供給できる。図示しないが、バッテリ取り付け部２２には、従来のビデオカメラと同様に、バッテリ保持機構、およびバッテリと本体を接続する電気接点が設けられている。バッテリは、この電気接点を介して本体側の電気電子回路に電力を供給する。
【００１５】
図４は、バッテリ２３が本体に取り付けられた状態の、バッテリ蓋部１８近辺の斜視図を示す。図５は、逆方向から見た斜視図を示す。
【００１６】
バッテリ蓋部１８には、開閉を容易にするための指掛け溝２４が設けられている。また、閉時及び開時にバッテリ蓋部１８を固定するためのロック機構が設けられている。ロックアーム２６は、バッテリ蓋部１８のアーム支点２８（図５）を中心に回動可能である。ロックアーム２６の先端には、切り欠き３０（図５）があり、この切り欠き３０をアームフック３２（図４）に引っ掛けることで、バッテリ蓋部１８が固定される。また、ロックアーム２６をアームフック３２に掛からない位置まで動かすことで、ロックを解除することができる。
【００１７】
バッテリ蓋部１８は、相互に可動に連結される複数部品からなる。具体的には、バッテリ蓋部１８は、図４に示すように、相互に可動に連結される外観蓋部３４とスライド蓋部３６の２部品からなる。スライド蓋部３６は外観蓋部３４に対してスライドして引き出すことができる。スライド蓋部３６を外観蓋部３４から引き出した状態が、特許請求の範囲にいう延長位置に相当する。また、バッテリ蓋部１８の、バッテリ収納庫を閉成する位置が、特許請求の範囲の収納位置に相当し、電気端子類が閉塞される。外観蓋部３４には、スライド蓋部３６を収納する凹部が形成されている。図６は、外観蓋部３４の内側構成の斜視図を示す。外観蓋部３４の、スライド蓋部３６を収納する凹部には、スライド蓋部３６のスライドレールとなる溝３８（図６）が両側面に設けられている。
【００１８】
また、外観蓋部３４には、スライド蓋部３６を固定するレバー４０が付属している。レバー４０は、レバー軸４２を中心に回転可能であり、矢印４４の方向に開くことができる。レバー４０を開いた状態にすると、スライド蓋部３６を移動させることができる。レバー４０を矢印４４とは逆方向に収納し、引っ掛け部４６が外観蓋部３４に引っ掛かることで、レバー４０が固定される。スライド蓋部３６には、レバー４０を嵌め込む溝４８がある。溝４８にレバー４０が嵌め込まれると、スライド蓋部３６が外観蓋部３４に固定される。溝４８は複数箇所に設けられており、レバー４０を嵌める溝を選ぶことで、スライド蓋部３６の、外観蓋部３４から突出した長さを調節できる。つまり、レバー４０を回転して開き、いずれかの溝位置までスライド蓋部３６をスライドさせて、レバー４０を戻すことで、バッテリ蓋部１８の長さを調節できる。
【００１９】
図７は、撮影時の保持状態の側面図を示す。撮影者は、グリップベルト１６でカメラ本体を把持し、ファインダ１２で撮影視野内の画像を見る。この体勢で、撮影者は、スライド蓋部３６で延長されたバッテリ蓋部１８を肩の上に乗せることができる。バッテリ蓋部１８が本体を補助的に支える役割を果たす。これにより、長時間撮影による右手の負担を軽減できる。さらに、本体を支える支点が増えることで、手ブレ防止効果がある。バッテリ蓋部１８から延出するスライド蓋部３６の長さを変更できるので、ユーザの体形にあわせた調節が可能である。
【００２０】
スライド蓋部３６の外装の一部または全部をゴム素材等の弾性部材とすることにより、肩との摩擦力が増し、支持した際にずれ難く、より支持しやすい構成になる。
【実施例２】
【００２１】
本発明の第２実施例を説明する。第２実施例では、アクセサリシューの蓋部を本体の支持に兼用できるようにした。図８は、第２実施例の斜視図を示す。図９は、第２実施例で、アクセサリシューにアクセサリとしてのストロボを装着した状態の斜視図を示す。
【００２２】
アクセサリシュー蓋部６０は、ストロボやマイクなどのアクセサリを取り付けることができるアクセサリシューの接点を覆う蓋部である。アクセサリシュー蓋部６０は開閉可能であり、開いた状態で、図９に示すように、アクセサリシュー６２にストロボ６４を接続できる。アクセサリシュー蓋部６０は、実施例１のバッテリ蓋部１８と同様に、開いた状態で固定される。
【００２３】
図１０は、第２実施例の使用状態の側面図を示す。アクセサリシュー蓋部６０を開いた状態で撮影を行なう場合、アクセサリシュー蓋部６０が撮影者の額に当接し、カメラ本体を補助的に支えるのに役立つ。
【００２４】
アクセサリシュー蓋部６０の外装の一部または全部をゴム素材で構成することにより、撮影者の額との摩擦力が大きくなり、支持した際にずれ難く、より支持しやすい構成になる。
【００２５】
バッテリ蓋部１８とアクセサリシュー蓋部６０の実施例を説明したが、記録媒体などの他のアクセサリの蓋部に適用しても、同様の作用効果を得ることができる。
【実施例３】
【００２６】
本発明の第３実施例を説明する。図１１は、本発明の第３実施例の背面側から見た外観斜視図を示す。バッテリ蓋部８０は、本体部の軸を中心に回動可能である。バッテリ蓋部８０の構成以外は、第１実施例と同じ構成からなる。バッテリ蓋部８０は、バッテリ蓋部１８と同様に、開時又は閉時に本体に固定できる。図１１は、バッテリ蓋部８０を開いて固定した状態を示す。
【００２７】
バッテリ蓋部８０は、外観部８２と延長部８４の２部構成になっている。延長部８４は外観部８２と軸８６を介して繋がれている。延長部８４にはバッテリ取り付け部８８がある。バッテリ取付け部８８には、従来のビデオカメラと同様に、バッテリ保持機構、及び、バッテリと本体を電気的に接続する電気接点が設けられている。
【００２８】
図１２は、バッテリ蓋部８０を収納（閉成）した状態の背面図を示し、図１３は、図１２のＡ−Ａ線から見た断面図を示す。収納状態では、外観部８２と延長部８４が折り畳まれて、収納される。また、バッテリ９０が延長部８４に接続した状態でカメラ本体に収納できるように、カメラ本体には、収納状態でバッテリ９０を受容する凹部が設けられている。
【００２９】
図１４は、延長部８４を外観部８２に連結する構成の斜視図を示す。軸８６が挿通する中空円筒状のクリックプレート９２，９４が、互いの凹凸に嵌り込み、回転が固定される。クリックプレート９２は延長部８４に固定され、クリックプレート９４は、同位相で外観部８２に固定されている。軸８６に一定以上の回転トルクが加えられることで、クリックプレート９４がバネ９６を押しながらクリックプレート９２の凸部を乗り越える。これにより、外観部８２に対する延長部８４の角度を変更できる。
【００３０】
図１５は、本実施例の撮影時の保持状態を示す側面図である。撮影者はグリップベルトでカメラ本体を把持し、ファインダで被写体範囲を確認できる。このとき、バッテリ蓋部８０を開き、且つ延長部８４を外観部８２に対して開く方向に回動させておく。これにより、延長部８４又はバッテリ９０が、支持部として撮影者の肩の上に乗り、カメラ本体を補助的に支える役割を果たす。長時間撮影で右手の負担を軽減する。カメラ本体の支点が増えることで、撮影の際の手ブレを防止する効果がある。バッテリ蓋部８０を開いた状態で、バッテリ９０を装着して使用すると、バッテリの位置がカメラ本体の後方に移動することにより、カメラ本体の重心も後ろ側に移動する。この結果、支持部から肩への荷重が掛かりやすくなるとともに、手に掛かる荷重が減り、より安定した保持性を確保できる。
【００３１】
図１６は、バッテリ蓋部８０の内面に操作部９８を配置した構成の斜視図を示す。バッテリ蓋部８０の外観部８２にビデオカメラの操作部９８を設ける。操作部９８では、撮影時に使う機能の切換えが可能である。ファインダの近くに操作部９８を配置することで、撮影者は、姿勢を変えずに操作部９８見ることができ、撮影中に保持態様を変更することなく各種の操作を行える。これにより、操作性が向上し、操作時の手ブレを防止できる。
【００３２】
延長部８４及びバッテリ９０の外装の一部又は全部をゴム素材等の弾性部材で構成するのが好ましい。これにより、肩との摩擦力が増し、支持した際にずれ難く、より支持しやすい構成になる。また、支持部に取り付けることができるアクセサリは、バッテリに限らず記録媒体やストロボなどの取外し可能なアクセサリでもよい。
【図面の簡単な説明】
【００３３】
【図１】本発明の第１実施例の背面から見た外観斜視図である。
【図２】第１実施例の正面から見た外観斜視図である。
【図３】第１実施例のバッテリ蓋部を開けた状態の斜視図である。
【図４】バッテリ蓋部１８からスライド蓋部３６を引き出した状態の斜視図である。
【図５】ロックアーム２６の構造を示す斜視図である。
【図６】外観蓋部３４の内側構成の斜視図を示す。
【図７】第１実施例の使用状態の側面図である。
【図８】本発明の第２実施例の斜視図である。
【図９】第２実施例のアクセサリシュー蓋部を開いた状態の斜視図である。
【図１０】第２実施例の使用状態の側面図である。
【図１１】本発明の第３実施例の斜視図である。
【図１２】第３実施例の背面図である。
【図１３】図１２のＡ−Ａ線から見た断面図である。
【図１４】延長部と外観部を連結する構成の斜視図である。
【図１５】第３実施例の使用状態の側面図である。
【図１６】バッテリ蓋部８０の内面に操作部９８を配置した構成の斜視図である。
【符号の説明】
【００３４】
１０：撮影レンズ
１２：ファインダ
１４：トリガースイッチ
１６：グリップベルト
１８：バッテリ蓋部
２０：軸部
２２：バッテリ取り付け部
２３：バッテリ
２４：指掛け溝
２６：ロックアーム
２８：ロックアーム支点
３０：ロックアーム切り欠き部
３２：アームフック
３４：外観蓋部
３６：スライド蓋部
３８：スライド溝
４０：レバー
４２：レバー軸部
４４：ロック解除方向
４６：引っ掛け部
４８：溝
６０：アクセサリシュー蓋部
６２：アクセサリシュー
６４：ストロボ
８０：バッテリ蓋部
８２：外観部
８４：延長部
８６：軸
８８：バッテリ取り付け部
９０：バッテリ
９２：クリックプレート
９４：クリックプレート
９６：クリックバネ
９８：操作部
【図１】
2009105636.tif 000003
【図２】
2009105636.tif 000004
【図３】
2009105636.tif 000005
【図４】
2009105636.tif 000006
【図５】
2009105636.tif 000007
【図６】
2009105636.tif 000008
【図７】
2009105636.tif 000009
【図８】
2009105636.tif 000010
【図９】
2009105636.tif 000011
【図１０】
2009105636.tif 000012
【図１１】
2009105636.tif 000013
【図１２】
2009105636.tif 000014
【図１３】
2009105636.tif 000015
【図１４】
2009105636.tif 000016
【図１５】
2009105636.tif 000017
【図１６】
2009105636.tif 000018